(57)【要約】【課題】従来のボトルキャップはキャップ部分が分離した後ボトルと係合されない為キャップを持ち続けなければ成らない、又、飲み終わった時ボトルから離れて回収不能になる事がある。そのためリサイクルに廻らずゴミとして遺棄される事が多々ある。【解決手段】ボトルキャップがインナーベルトによりボトル本体と係合される為回収が容易な点である。更に支持リングがボトル口根元に残らないようにインナーベルトで破断出来るように支持リングに切り込みを加えてある。【選択図】図１７
2011136752.tif 000002
【特許請求の範囲】
【請求項１】
ボトルキャップの上蓋と内蓋勘合用溝に収まる内蓋の間に挟まるボトルキャップの内径より小さい面積の軟質製素材で出来た狭持板若しくは軟質素材で出来た内蓋から、キャップ開栓時にボトル口根元に残る支持リングとボトル間の隙間より薄い若しくはインナーベルト用溝に収まる断面積のインナーベルトを生やし、インナーベルトの先端にボトル本体と支持リング間の隙間より広い膨張部によって形成される先端膨張部を設けたキャップホルダーと、キャップの螺子部及び支持リングにはインナーベルトの断面積より広いインナーベルト用溝を加え更に支持リングの破断用切り込みによって断面積がインナーベルトの断面積より小さくなるよう形成されたボトルキャップに関する発明である。
【発明の詳細な説明】
【技術分野】
【０００１】  本発明は、ボトルに対し保持力を有するボトルキャップに関するものである。
【背景技術】
【０００２】  従来の技術には、例えばキャップとリング部を連結したボトルキャップが知られている。
【特許文献１】特開特開２００６−１４３３２１号公報（第２頁、図１）
【発明の開示】
【発明が解決しようとする課題】
【０００３】  解決しようとする問題点は、従来のボトルキャップは開栓後キャップとボトルが別々になる為キャップを手で持ち続けなければならなく。又、ボトルとキャップが別々に投棄される事が多くゴミを増やす原因になっていた。【０００４】  又、廃棄時も残存リングがボトル口に残る為分別も完全ではない。
【課題を解決するための手段】
【０００５】  ペットボトルのキャップは、回転して開閉する上蓋２と、開栓後もペットボトル側に残る残存リング部３と、上蓋２と残存リング部３を接続する連結部７の３つの部分から構成されており、一般的には一体成型により製造される。初開栓時においてはこの連結部７が切断されて蓋部１と残存リング部３が分離する仕組みを有することにより、初開栓時まで未開栓であることが保証される仕組みとなっている。【０００６】  本発明は、キャップ内蓋１３から出るインナーベルト１４の先端膨張部１５がボトル１６と残存リング３間の隙間に引っ掛る事により上蓋２を保持可能とした事を最も主要な特徴とする。
【発明の効果】
【０００７】  本発明はインナーベルトの先端膨張部がボトルと残存リング間の隙間に引っ掛り開栓後もボトルキャップがボトルと係合され保持する事が出来るため、ボトルキャップだけが投棄されゴミとなる事を防ぐ。【０００８】  開栓後は上蓋がインナーベルトによって保持される結果、落としたりする心配も無く衛生的であり手に持ち続ける必要も無い。【０００９】  閉栓時はインナーベルト先端膨張部を引っ張れば上蓋がボトル口に被さる為，閉栓が容易になる。【００１０】  更に、廃棄時にはベルト部分を引っ張る事で残存リングが外しやすくなる為、ゴミの分別も容易く出来る。
【産業上の利用可能性】
【発明を実施するための形態】
【００１１】  この発明の実施形態を図９及び図１０及び図１１及び図１８に示す。
この実施形態のボトルキャップ１は、ボトル２０の口部１９に設けられるプラスチック製のボトルキャップ１である。このボトルキャップ１は、全体が略円筒状で上面を有し、上部の上蓋２と下部の残存リング３とからなる。
【００１２】  ボトルキャップ１は、上蓋２と残存リング３とは所定の力で破断する連結部９により連結されている。すなわち、ボトルキャップ１のプラスチック成形時に、上蓋２の下縁周囲と、残存リング３の上縁周囲とは、縁の周囲方向に一定間隔で設けられる小さな連結部分９により連結される。
【００１３】  上蓋２底面には内蓋１３の直径と等しい内径になるように内蓋勘合用溝８が掘られており、その溝に勘合させるよう狭持板１４を載せた内蓋１３をインナーベルト１５がボトルキャップ１に彫られたインナーベルト用溝６に勘合させるように圧入する。尚、インナーベルトの厚さが薄くても上蓋２を保持できる強度があればインナーベルト用溝６は無くてもかまわない。
【００１４】  閉栓時はボトルキャップ１を右回転させ遠心力により先端膨張部１６が外に開きボトル口１９内に入り込まずに閉栓する。
【００１５】  開栓時はボトルキャップ１を左回転させると螺子７により上蓋２が上昇し、残存リング３はストッパー１０によりその位置に留まる為、連結部９が破断し開栓すると共にインナーベルト先端膨張部１６により残存リング３引っ掛かり保持される。
【００１６】  廃棄時にはインナーベルト１５を残存リング３で折り返し先端膨張部１６と狭持板１４を持ち引っ張る事で残存リング連結部１１が破断しリングを分別する。
【図面の簡単な説明】
【００１７】
【図１】  インナーベルト用溝有りボトルキャップ断面図
【図２】  インナーベルト用溝有りボトルキャップ底面図
【図３】  インナーベルト用溝無しボトルキャップ断面図
【図４】  インナーベルト用溝無しボトルキャップ底面図
【図５】  内蓋側面断面図
【図６】  内蓋底面図
【図７】  キャップホルダーの三面図
【図８】  内蓋兼キャップホルダーの底面図と側面断面図
【図９】  インナーベルト用溝有りボトルキャップに内蓋とキャップホルダーを配置した断面図
【図１０】  インナーベルト用溝有りボトルキャップの締め付け時の断面図
【図１１】  インナーベルト用溝有りボトルキャップに内蓋とキャップホルダーを配置して閉栓時の断面図
【図１２】  インナーベルト用溝無しボトルキャップに内蓋とキャップホルダーを配置した断面図
【図１３】  インナーベルト用溝無しボトルキャップの締め付け時の断面図
【図１４】  インナーベルト用溝無しボトルキャップの閉栓時の断面図
【図１５】  インナーベルト用溝無しボトルキャップに内蓋兼インナーベルトを配置した断面図
【図１６】  インナーベルト用溝無しボトルキャップの締め付け時の断面図
【図１７】  インナーベルト用溝無しボトルキャップの閉栓時の断面図
【図１８】  インナーベルト用溝有りボトルキャップに内蓋とキャップホルダーを配置して開栓時の断面図
【符号の説明】
【００１８】  １．    ボトルキャップ
２．    インナーベルト用溝有り上蓋
３．    インナーベルト用溝有り残存リング
４．    インナーベルト用溝無し上蓋
５．    インナーベルト用溝無し残存リング
６．    インナーベルト用溝
７．    螺子
８．    内蓋勘合用溝
９．    連結部
１０．  ストッパー
１１．  残存リング連結部
１２．  残存リング破断用切り込み
１３．  内蓋
１４．  狭持板
１５．  インナーベルト
１６．  先端膨張部
１７．  キャップホルダー
１８．  内蓋兼キャップホルダー
１９．  ボトル口
２０．  ボトル
【図１】
2011136752.tif 000003
【図２】
2011136752.tif 000004
【図３】
2011136752.tif 000005
【図４】
2011136752.tif 000006
【図５】
2011136752.tif 000007
【図６】
2011136752.tif 000008
【図７】
2011136752.tif 000009
【図８】
2011136752.tif 000010
【図９】
2011136752.tif 000011
【図１０】
2011136752.tif 000012
【図１１】
2011136752.tif 000013
【図１２】
2011136752.tif 000014
【図１３】
2011136752.tif 000015
【図１４】
2011136752.tif 000016
【図１５】
2011136752.tif 000017
【図１６】
2011136752.tif 000018
【図１７】
2011136752.tif 000019
【図１８】
2011136752.tif 000020